(57)【要約】      （修正有）【課題】人の嗅覚に訴えることでさらに人目に付きやすい香りのする広告幕を提供する。【解決手段】香りの成分が内包されたマイクロカプセルを分散固着したプリントポリエステル布帛からなる香りのする広告幕であり、前記プリントポリエステル布帛はＪＩＳ  Ｌ１０９６Ａ（ストリップ法）による引張強度が、縦横共に１００Ｎ以上であり、かつＪＩＳ  Ｌ１０９６Ａ（シングルタング法）による引裂強度が、縦横共に１０Ｎ以上であり、更にインク受容層を有するインクジェットプリントポリエステル布帛であることが好ましい。【選択図】図１
0003114162.tif 000002
【実用新案登録請求の範囲】
【請求項１】
香りの成分が内包されたマイクロカプセルを分散固着したプリントポリエステル布帛からなる香りのする広告幕。
【請求項２】
前記プリントポリエステル布帛のＪＩＳ  Ｌ１０９６Ａ（ストリップ法）による引張強度が、縦横共に１００Ｎ以上であり、かつＪＩＳ  Ｌ１０９６Ａ（シングルタング法）による引裂強度が、縦横共に１０Ｎ以上である請求項１記載の香りのする広告幕。
【請求項３】
前記プリントポリエステル布帛がインクジェットプリントポリエステル布帛である請求項１記載の香りのする広告幕。
【請求項４】
前記インクジェットプリントポリエステル布帛がインク受容層を有する請求項３記載の香りのする広告幕。
【考案の詳細な説明】
【技術分野】
【０００１】
本考案は、視覚と嗅覚の両方で楽しむことができる屋内外バナーとして利用される香りのする広告幕に関するものである。
【背景技術】
【０００２】
従来、屋内外のバナー広告としては、ポリエステルや塩ビ等の基材に印刷を施したＰＯＰ（Ｐｏｉｎｔ  Ｏｆ  Ｐｕｒｃｈａｓｅ  ａｄｖｅｒｔｉｓｉｎｇ）や横断幕などのシート状広告物がよく知られている。これらの広告物にとって第１の目的は人に認知してもらうことであり、そのために配色や形状など様々な工夫がこらされている。
【考案の開示】
【考案が解決しようとする課題】
【０００３】
そこで本考案は、人の嗅覚に訴えることでさらに人目に付きやすい香りのする広告幕の提供を目的とするものである。
【課題を解決するための手段】
【０００４】
本考案は上記課題を解決するため、次のような手段を実施するものである。
【０００５】
すなわち（１）香りの成分が内包されたマイクロカプセルを分散固着したプリントポリエステル布帛からなる香りのする広告幕に存する。
【０００６】
また（２）前記プリントポリエステル布帛のＪＩＳ  Ｌ１０９６Ａ（ストリップ法）による引張強度が、縦横共に１００Ｎ以上であり、かつＪＩＳ  Ｌ１０９６Ａ（シングルタング法）による引裂強度が、縦横共に１０Ｎ以上であることが好ましい。
【０００７】
また（３）前記プリントポリエステル布帛がインクジェットプリントポリエステル布帛であることが好ましい。
【０００８】
また（４）前記インクジェットプリントポリエステル布帛がインク受容層を有することが好ましい。
【考案の効果】
【０００９】
本考案によれば、香りの成分が内包されたマイクロカプセルを分散固着したプリントポリエステル布帛を広告幕とすることにより、視覚と嗅覚の両方にて広告情報を訴えることが可能となり、人目に付きやすく、さらには記憶に残り易いといった効果が期待できる。また広告基材をポリエステル布帛とすることにより軽量で強度に優れ、かつリサイクル性にも配慮した広告幕を提供することが可能となる。
【考案を実施するための最良の形態】
【００１０】
以下、図面に示す実施の形態について説明する。
図１は本考案に係る広告幕の正面図である。本考案に係る広告幕１は、フレーム２およびプリントポリエステル布帛３からなる。
【００１１】
本考案においてプリントポリエステル布帛３の基材としてはポリエステル繊維が使用される。その理由については、ポリエステル繊維は他の繊維に比べて耐久性や寸法安定性に優れており、また香りの期間が過ぎた後に回収、再度、溶融紡糸するという、所謂、ケミカルリサイクルも可能となる点にある。
【００１２】
また基材を布帛とすることで紙や樹脂シートなどの他の基材に比べ光の反射が少ないためにプリントされた画像をどの角度から見てもきれいに見ることが出来、鮮明な画質を得ることが出来る。さらに布帛の場合、縫製、縫合が容易であり、その部分があまり目立たなくすることが出来、プリントされた画質の妨げにならない。
【００１３】
またプリントポリエステル布帛３の強度については、大型の広告幕が屋外で使用される場合のような風圧にも耐え得るよう考慮して、ＪＩＳ  Ｌ１０９６Ａ（ストリップ法）による引張強度が、縦横共に１００Ｎ以上であり、かつＪＩＳ  Ｌ１０９６Ａ（シングルタング法）による引裂強度が、縦横共に１０Ｎ以上あることが好ましい。
【００１４】
ポリエステル布帛に画像をプリントする方法については、公知のプリント方法であればよく、例えばスクリーン捺染、ロータリー捺染、インクジェットプリントが挙げられる。その中でも、近年においては写真調に印刷されたものや小ロットに対する需要が高まりを見せており、その点を考慮すると、インクジェット方式でプリントされたものが好ましい。ここでインクジェットプリントをおこなうプリンタとしては市販されている布帛用プリンタを用いておこなえばよい。
【００１５】
またさらにインクジェットプリントを施す場合において、より画質を鮮明に再現するために布帛にインク受容層を設けることが好ましい。インク受容層を形成するインク受容剤には、バインダー、保水性または吸水性微粒子、カチオン系樹脂、吸水性高分子、酸化防止剤、紫外線吸収剤、乾燥防止剤、粘度調整剤、ｐＨ調整剤等が含まれている。
【００１６】
またここでインクジェット記録用として使用されるインクとしては、有機顔料や無機顔料、染料を水または有機溶剤に溶解または分散させたインクが挙げられる。
【００１７】
本考案においてはポリエステル布帛に香りの成分が内包されたマイクロカプセルを分散固着させることにより布帛全体を均一に香り付けすることが出来る。そして布帛組織の自然収縮や風による広告幕のはためき、または人が広告幕に触れることによりマイクロカプセルが破壊され、香りが発散するようになるのである。
【００１８】
本考案において使用される香りの成分が内包されたマイクロカプセルについては、特に限定されるものではなく、市販されているものを使用することが出来、各自の好みに合わせて天然香料や合成香料等の香りを選択すればよい。マイクロカプセルの形状等についても特に限定されないが、粒径で２〜２０μｍのものを利用することができる。またマイクロカプセルを立毛布帛に分散固着させる方法についても特に限定されるものではなく、ウレタン系、アクリル系、シリコーン系、酢酸ビニル系等の樹脂をバインダーとして用い、コーティング法や含浸法等の従来公知の方法を用いて行うことが出来る。
【００１９】
またフレーム２の材質についても特に限定されるものではなく、個人の好みにあわせたものを選択すればよい。
【産業上の利用可能性】
【００２０】
前述したとおり本考案の広告幕は、従来のものに比べて視覚的にも嗅覚的にも優れた効果を発揮することが出来るため、この利用価値は大であり実施化の可能性は大いにある。
【図面の簡単な説明】
【００２１】
【図１】本考案に係る広告幕の正面図
【符号の説明】
【００２２】
１  広告幕
２  フレーム
３  プリントポリエステル布帛
【図１】
0003114162.tif 000003